(57)【要約】【課題】  建築、土木現場おいてH鋼等鉄骨に迅速・確実に取付が可能な複合止水板を提供する。【解決手段】  補強仕切板を持つ２層のプラスチック板の片面に粘着性ブチルゴムを接着・構成した複合止水板を利用することにより、建築、土木分野でH鋼等鉄骨とコンクリートとの止水を確実に行うことが出来る軽量、安価な止水板を提供する。【選択図】      図１
0003126945.tif 000002
【実用新案登録請求の範囲】
【請求項１】
補強仕切板を持つプラスチック２層板と粘着性ブチルゴからなる複合止水板。
【考案の詳細な説明】
【技術分野】
【０００１】
考案は建築・土木分野で広く使用されている止水板に関する。
【背景技術】
【０００２】
近年ビル、マンション等の高層化に伴い、基礎部分及び地下室等の主構造体である鉄骨とコンクリート間の止水を十分に行わないと、壁面等の亀裂発生、室内への漏水並びに内部鉄骨、鉄筋の腐食等により居住環境の悪化、機械設備等への悪影響のみならず構造物自体の耐久性を著しく阻害することが懸念されている。
このため、コンクリート打設前に鉄骨の周囲にブチルゴム、水膨張ゴム、又両者の複合物
からなるシール材（以下止水板と称する）が使用されている。
【考案の開示】
【考案が解決しようとする課題】
【０００３】
このため、コンクリート打設前に鉄骨の周囲にプラスチック板、ブチルゴム、水膨張ゴム又はこれらの複合物からなるシール材（以下止水板と称する）が提案、使用されている。
しかしながらこれらの内で鉄骨への取付け作業が簡便容易で且つ止水効果の優れた止水板
は見出されていない。
【課題を解決するための手段】
【０００４】
本考案者は、粘着性非加硫ブチルゴム止水板の実用化について種々検討を行い、補強仕切板を持つ２層のプラスチック板と粘着性非加硫ブチルゴムからなる止水板（以下考案の止水板と称する）を使用することにより鉄骨への取付が容易で且つ止水性に優れることを見出した。    
【考案の効果】
【０００５】
考案の止水板は作業現場への運搬も容易で、鉄骨部分への取付もブチルゴムによる粘接着により容易であると共に、補強仕切板中間部分から２層プラスチック板が容易に折れ曲がり、H鋼等鉄骨部分に直角、又は180度にも確実に密着して止水を完全に行うことが認められた。
【考案を実施するための最良の形態】
【０００６】
考案に補強仕切板を有する２層プラスチック板の材質は特に規定されないが、通常ポリエチレン、ポリプロピレン等が軽量で、仕切板の間隔もほぼ２層プラスチック板同志の間隔・厚さに等しい程度にある、一般に所謂プラスチックダンボールに使用される板材が工業的に容易に入手可能で本考案の達成に有用である。粘着性非加硫ブチルゴムもシール材として一般に広く使用されているブチルゴムが適用できるが、その厚みは１mm〜５mm程度がH鋼等鉄骨との密着・止水効果達成に望ましい。更に考案の止水板の幅は適用すべき規模、部位によって異なるが、通常５０mm〜３００mm程度が実用上有用である。
【実施例】
【０００７】
（実施例１）
幅２００mm、厚さ４mm、補強仕切板間隔４mm、長さ２ｍのポリエチレン製２層板状品に２３℃での針入度６５の硬さの、厚さ３mm、幅２００mm、長さ２ｍの粘着性ブチルゴムを接着して複合止水板を作成した。
【産業上の利用可能性】
【０００８】
考案の止水板は軽量、安価で、H鋼等鉄骨の角部への取付施工も容易に行うことが出来、建築、土木等施工現場で広く適用可能な複合止水板である。
【図面の簡単な説明】
【０００９】
【図１】考案の複合止水板の概観図である。
【符号の説明】
【００１０】
１    補強仕切部を有する２層プラスチック板
２    補強仕切部
３    粘着性ブチルゴム
【図１】
0003126945.tif 000003
【手続補正書】
【提出日】平成18年9月8日(2006.9.8)
【手続補正１】
【補正対象書類名】実用新案登録請求の範囲
【補正対象項目名】全文
【補正方法】変更
【補正の内容】
【実用新案登録請求の範囲】
【請求項１】
補強仕切板を持つプラスチック２層板の片面に粘着性ブチルゴムを接着・構成した複合
止水板。
【手続補正２】
【補正対象書類名】明細書
【補正対象項目名】全文
【補正方法】変更
【補正の内容】
【考案の詳細な説明】
【技術分野】
【０００１】
考案は建築・土木分野で広く使用されている止水板に関する。
【背景技術】
【０００２】
近年ビル、マンション等の高層化に伴い、基礎部分及び地下室等の主構造体である鉄骨とコンクリート間の止水を十分に行わないと、壁面等の亀裂発生、室内への漏水並びに内部鉄骨、鉄筋の腐食等により居住環境の悪化、機械設備等への悪影響のみならず構造物自体の耐久性を著しく阻害することが懸念されている。
このため、コンクリート打設前に鉄骨の周囲にブチルゴム、水膨張ゴム、又両者の複合物からなるシール材（以下止水板と称する）が使用されている。
【考案の開示】
【考案が解決しようとする課題】
【０００３】
このため、コンクリート打設前に鉄骨の周囲にプラスチック板、ブチルゴム、水膨張ゴム、又はこれらの複合物からなるシール材（以下止水板と称する）が提案、使用されている。
しかしながらこれらの内で鉄骨への取付け作業が簡便容易で且つ止水効果の優れた止水板は見出されていない。
【課題を解決するための手段】
【０００４】
本考案者は、粘着性非加硫ブチルゴム止水板の実用化について種々検討を行い、補強仕切板を持つ２層のプラスチック板の片面に粘着性非加硫ブチルゴムを接着・構成した複合止水板（以下考案の止水板と称する）を使用することにより鉄骨への取付が容易で且つ止水性に優れることを見出した。
【考案の効果】
【０００５】
考案の止水板は作業現場への運搬も容易で、鉄骨部分への取付もブチルゴムによる粘接着により容易であると共に、補強仕切板中間部分から２層プラスチック板が容易に折れ曲がり、H鋼等鉄骨部分に直角、又は180度にも確実に密着して止水を完全に行うことが認め
られた。
【考案を実施するための最良の形態】
【０００６】
考案に補強仕切板を有する２層プラスチック板の材質は特に規定されないが、通常ポリエチレン、ポリプロピレン等が軽量で、仕切板の間隔もほぼ２層プラスチック板同士の間隔・厚さに等しい程度にある、厚さ３mm〜７mmの一般に所謂プラスチックダンボールに使用される板材が工業的に容易に入手可能で本考案の達成に有用である。該プラスチック２層板に接着する粘着性非加硫ブチルゴムもシール材として一般に広く使用されているブチルゴムが適用できるが、その厚みは１mm〜５mm程度がH鋼等鉄骨との密着・止水効果達成に望ましい。更に考案の止水板の幅は適用すべき規模、部位によって異なるが、通常５０mm〜３００mm程度が実用上有用である。
【実施例】
【０００７】
（実施例１）
幅２００mm、厚さ４mm、補強仕切板間隔４mm、長さ２ｍのポリエチレン製２層板状品に２３℃での針入度６５の硬さの、厚さ３mm、幅２００mm、長さ２ｍの粘着性ブチルゴムを接着して複合止水板を作成した。
【産業上の利用可能性】
【０００８】
考案の止水板は軽量、安価で、H鋼等鉄骨の角部への取付施工も容易に行うことが出来、建築、土木等施工現場で広く適用可能な複合止水板である。
【図面の簡単な説明】
【０００９】
【図１】考案の複合止水板の概観図である。
【符号の説明】
【００１０】
１    補強仕切部を有する２層プラスチック板
２    補強仕切部
３    粘着性ブチルゴム